(57)【特許請求の範囲】
【請求項１】
被検者に対して異なる距離又は視野角に配置された複数の表示装置により被検者の視覚を検査するための方法において、
第１時刻で前記被検者から第１距離の位置に第１視覚マークを表示するステップと、
前記被検者が前記第１視覚マークを知覚したことを示す第１入力を受信するステップと、
前記被検者が前記第１視覚マークを知覚したことを示す前記第１入力を受信した後にのみ、第２時刻で前記被検者から第１距離とは大きく異なる第２距離の位置に前記第１視覚マークとは異なる視野角で第２視覚マークを表示するステップと、
前記被検者が前記第２視覚マークを知覚したことを示す第２入力を受信するステップと、
前記第１時刻と前記第１入力の受信時との間における経過時間を決定するステップと、
前記第２時刻と前記第２入力の受信時との間における経過時間を決定するステップと、
決定した経過時間を用いて前記被検者の能力を定量化したスコアを計算するステップと、
を有する方法。
【請求項２】
請求項１に記載の被検者の視覚を検査するための方法において、さらに、
前記被検者が前記第２視覚マークを知覚したことを示す前記第２入力を受信した後にのみ、第３時刻で前記被検者から前記第１距離の位置に第３視覚マークを表示するステップと、
前記被検者が前記第３視覚マークを知覚したことを示す第３入力を受信するステップと、
を有する方法。
【請求項３】
請求項２に記載の被検者の視覚を検査するための方法において、さらに、
前記被検者が前記第３視覚マークを知覚したことを示す前記第３入力を受信した後にのみ、第４時刻で前記被検者から前記第２距離の位置に第４視覚マークを表示するステップと、
前記被検者が前記第４視覚マークを知覚したことを示す第４入力を受信するステップと、
を有する方法。
【請求項４】
請求項３に記載の被検者の視覚を検査するための方法において、さらに、
前記第３時刻と前記第３入力の受信時との間における経過時間を決定するステップと、
前記第４時刻と前記第４入力の受信時との間における経過時間を決定するステップと、
を有する方法。
【請求項５】
請求項１に記載の被検者の視覚を検査するための方法において、各入力を音声入力とした方法。
【請求項６】
被検者の視覚を検査するための方法において、
（ａ）被検者の視覚的近傍に第１表示装置を設けるステップと、
被検者から視覚的に遠方に第２表示装置を設けるステップと、
（ｂ）前記第１表示装置と前記第２表示装置に交互に視覚マークを表示する交互表示ステップと
を有し、前記第１表示装置と前記第２表示装置は、被検者に対して異なる視野角に配置されており、
前記交互表示ステップは、
（１）第１時刻に、前記第１表示装置に視覚マークを表示する第１表示ステップ、
（２）自動音声検出システムを用いて前記第１表示装置に表示した視覚マークに対して被検者が適正に知覚したことを示す被検者からの第１音声入力を受信する第１入力受信ステップ、
（３）前記第１時刻と前記第１音声入力の受信時との間における経過時間を決定するステップ、
（４）前記第１表示装置に表示した視覚マークに対して被検者が適正に知覚したことを示す音声入力を受信した後、第２時刻に、第２表示装置に視覚マークを表示する第２表示ステップ、
（５）前記自動音声検出システムを用いて前記第２表示装置に表示した視覚マークに対して被検者が適正に知覚したことを示す被検者からの第２音声入力を受信する第２入力受信ステップ、
（６）前記第２時刻と前記第２音声入力の受信時との間における経過時間を決定するステップ、
（７）前記第２表示装置に表示した視覚マークに対して被検者が適正に知覚したことを示す音声入力を受信した後に、検査が完了したか否かを決定して、
（Ａ）検査が完了していない場合には、ステップ（ａ）に戻り、
（Ｂ）検査が完了している場合には、決定した経過時間を用いて被検者の能力を定量化したスコアを計算するステップ、を有するものとした
方法。
【請求項７】
請求項６に記載の被検者の視覚を検査するための方法において、
前記第１表示装置に視覚マークを表示するステップは、さらに、識別特性を有する視覚マークを表示するステップを含むものとし、
自動音声検出システムを用いて前記第１表示装置に表示した視覚マークを被検者が適正に知覚したことを示す被検者からの音声入力を受信するステップは、さらに、前記音声入力は表示された視覚マークが有する識別特性を適正に識別しているものであるかを決定するステップを有するものとし、
前記第１表示装置に表示した視覚マークを被検者が適正に知覚したことを示す音声入力を受信した後に、第２表示装置に視覚マークを表示するステップは、さらに、識別特性を有する視覚マークを表示するステップを含むものとし、
前記自動音声検出システムを用いて前記第２表示装置に表示した視覚マークを被検者が適正に知覚したことを示す被検者からの音声入力を受信するステップは、さらに、前記音声入力は表示された視覚マークが有する識別特性を適正に識別しているものであるかを決定するステップを有するものとした、方法。
【請求項８】
請求項７に記載の被検者の視覚を検査するための方法において、表示される視覚マークが有する識別特性は、指向性に関する特性とした、方法。
【請求項９】
請求項７に記載の被検者の視覚を検査するための方法において、表示される視覚マークが有する識別特性は、色の特性とした、方法。
【請求項１０】
請求項７に記載の被検者の視覚を検査するための方法において、表示される視覚マークが有する識別特性は、英数字の特性とした、方法。
【請求項１１】
被検者の視覚を検査するための方法において、
（ａ）被検者の視覚的近傍に第１表示装置を設けるステップと、
（ｂ）被検者から視覚的に遠方に第２表示装置を設けるステップと、
（ｃ）前記第１表示装置と前記第２表示装置に交互に視覚マークを表示する交互表示ステップと
を有し、前記第１表示装置と前記第２表示装置は、被検者に対して異なる視野角に配置されており、
前記交互表示ステップは、
（１）第１時刻で前記第１表示装置に識別特性を有する第１視覚マークを表示するステップ、
（２）自動音声検出システムを用いて前記第１視覚マークに対する被検者の応答を音声入力で受信するステップ、
（３）前記音声入力が前記第１視覚マークの有する識別特性を適正に識別したものであるか否かを決定するステップ、
（４）第１時刻後の所定時間内に音声入力を受信しない場合、第１視覚マークの表示を時間切れと決定するステップ、
（５）前記音声入力が前記第１視覚マークの有する識別特性を適正に識別したものであるか否か、及び前記表示が時間切れとなったか否かを記録するステップ、
（６）被検者からの音声入力を受信する前記ステップ又は第１視覚マークの表示を時間切れと決定する前記ステップのどちらかの後に、第２時刻で前記第２表示装置に第２視覚マークを表示するステップ、
（７）自動音声検出システムを用いて前記第２視覚マークへの被検者の応答を音声入力で受信するステップ、
（８）前記音声入力が前記第２視覚マークの有する識別特性を適正に識別したものであるか否かを決定するステップ、
（９）第２時刻後の所定時間内に音声入力を受信しない場合、第２視覚マークの表示を時間切れと決定するステップ、
（１０）前記音声入力が前記第２視覚マークの有する識別特性を適正に識別したものであるか否か、及び前記表示が時間切れとなったか否かを記録するステップ、
（１１）被検者から音声入力を受信した後または前記第２視覚マークの表示を時間切れと決定した後に、検査が完了したか否かを決定し、検査が完了していない場合ステップ（ａ）に復帰するステップと、
（１２）前記検査が完了している場合、前記視覚マークの有する識別特性を適正に認識した音声入力の数にもとづいて被検者の能力を定量化してスコアを計算するステップを、有するものとした、方法。
【請求項１２】
請求項１１に記載の被検者の視覚を検査するための方法において、
（１）自動音声検出システムを用いて前記第１視覚マークへの被検者の応答を音声入力で受信するステップは、さらに、前記第１時刻と前記音声入力の受信時との間における経過時間を決定するステップを有するものとし、
（２）前記音声入力が前記第１視覚マークの有する識別特性を適正に識別したものであるか否か、及び前記表示が時間切れとなったか否かを記録するステップは、さらに、前記第１時刻と前記音声入力の受信時との間における経過時間を記録するステップを有するものとし、
（３）自動音声検出システムを用いて前記第２視覚マークに対する被検者の応答を音声入力で受信するステップは、さらに、前記第２時刻と前記音声入力の受信時との間における経過時間を決定するステップを有するものとし、
（４）前記音声入力が前記第２視覚マークの有する識別特性を適正に識別したものであるか否か、及び前記表示が時間切れとなったか否かを記録するステップは、さらに、前記第２時刻と前記音声入力の受信時との間における経過時間を記録するステップを有するものとした、方法。
【請求項１３】
請求項１２に記載の被検者の視覚を検査するための方法において、前記視覚マークの有する特性を適正に識別した音声入力の数にもとづいて被検者の能力を定量化してスコアを計算するステップは、さらに、前記視覚マークの有する特性を適正に識別した音声入力の数および順次の前記経過時間の相互間に経過した時間に基づいて、被検者の能力を定量化してスコアを計算するステップを有するものとした、方法。
【発明の詳細な説明】
【技術分野】
【０００１】
関連出願に対する相互参照
本出願は、２００７年４月１３日出願の米国特許仮出願第６０／９２３４３４号（タイトルは「シミュレーション動作中の視覚能力を検査するシステムおよび方法」）の優先権を主張したものであり、このことを本明細書に付記する。本出願は、さらに、２００７年６月４日出願の米国特許仮出願６０／９４１９１５号（タイトルは「分離して視覚能力を検査するシステムおよび方法」）の優先権を主張したものであり、このことを本明細書に付記する。
【０００２】
本発明は視覚能力の検査および／または訓練に関する。さらにとくに、本発明は、視覚焦点を視野の近傍から遠方におよびその逆にシフトすることを含むタスクにおける被検者の視覚能力の検査および／または訓練に関する。
【背景技術】
【０００３】
個人の視覚能力を検査する、また場合によっては訓練するシステムや方法が数多く存在する。視覚検査におけるある分野は、被検者から異なる距離にある視覚刺激に目の焦点を合わせるという被検者の能力を測定する。しばしば、このような検査方法は、被検者が被検者の比較的近傍に表示した視覚的マークを識別して、それに続いて被検者から視覚的に離れた距離にある視覚的マークを識別することを試みることを必要とする。しばしば、被検者から視覚的に遠く離れた視覚的マークは、光学的無限遠に位置し、このことは、眼は完全に弛緩しなければならず、また両目が被検者の頭部前方を見て遠くの視覚的マークに焦点を合わせなければならない。このような検査では、被見者は、一般的に、近くの表示装置に表示したマークと遠くの表示装置に表示したマークを交互に読むようにし、検査官は被検者のマーク識別の正確性を記録する。
【発明の概要】
【発明が解決しようとする課題】
【０００４】
このような検査手法は、定量化した応答時間を取得することが難しい。また問題なことに、このような検査手法は、被検者に任意の所定距離から複数個の視覚的マークを読むことを可能にするため、マークを短時間記憶することができ、任意の所定距離の表示装置に再び焦点を合わせる必要なく変化するマークをすばやく識別することができ、したがって、所定距離に表示したマークに被検者が目の焦点を移動させるために必要な時間に対する測定の精度をさらに低くする。
【課題を解決するための手段】
【０００５】
本発明は、被検者の遠近視覚の合焦能力を検査および／または訓練するためのシステムおよび方法を提供する。第１表示装置を被検者の近くに配置して、第２表示装置を被検者から遠くに配置することができる。自動音声検知システムを使用して、被検者が表示された視覚マークを知覚したことを示す被検者からの応答を検知することができる。第２距離にある第２視覚マークは、被検者から応答を受信するまで、または随意的に第１マークの表示が時間切れになるまで、表示しない。このようにして、被検者から異なる距離にある視覚マークを、交互に個別表示することができる。個別のマークのみを表示することは、被検者が効率的に所定距離の位置における複数のマークを記憶することを妨げ、したがって、被検者が新しい距離のマークに目の焦点を移動させるために必要な時間を正確に測定することができる。
【０００６】
本発明によるシステムおよび方法を使用して、被検者の目の焦点を近傍から遠方に、また遠方から近傍に変化させる被検者の視覚能力を検査および／または訓練することができる。本発明によるシステムおよび方法は、少なくとも１個の近位表示装置および少なくとも１個の遠位表示装置を使用することができる。遠位表示装置は、被検者から光学的に無限遠に配置することができる。近位表示装置は、被検者から異なる距離、例えば数インチから数フィートにわたる範囲の位置に配置することができる。さらに、複数の距離に配置した複数の表示装置を使用することができ、例えば近位表示装置、遠位表示装置、近位表示装置と遠位表示装置との間の中間表示装置を使用することができる。また、複数の近位表示装置および／または遠位表示装置を使用することができる。さらに、表示装置を被検者から異なる方向に配置することができる。例えば表示装置の視野角を変化させることができ、いくつかを被検者の視線左側におき、いくつかを被検者の視線右側に配置することができる。さらに、表示装置を、被検者の通常視線より高くまたは低く配置することができる。当業者は、特定活動を行う個人を検査および／または訓練するために、表示装置の異なる位置決めを適切に行うことができることを理解されたい。例えば、野球の遊撃手は、投げられたボールを打つバッター（ほぼ光学無限遠にいる）から、ゴロのボールを捕球するために、ほぼ遊撃手の膝辺りにおけるグラウンド近傍位置に視覚焦点を瞬時にシフトする必要がある。この理由のために、遊撃手としてプレーする個人の視覚検査および／または訓練は、これら２つの位置に視覚的に焦点を合わせる個人能力に傾注する。本発明によるシステムおよび方法の様々な態様を、添付図面につきより詳細に説明する。
【図面の簡単な説明】
【０００７】
【図１】本発明による遠近検査システムを示す。
【図２】本発明による遠近検査システムをさらに示す。
【図３Ａ】本発明による遠近検査システムをさらに示す。
【図３Ｂ】本発明による遠近検査システムをさらに示す。
【図３Ｃ】本発明による遠近検査システムをさらに示す。
【図４Ａ】本発明による遠近検査方法をさらに示す。
【図４Ｂ】本発明による遠近検査方法を示す。
【図５Ａ】本発明による遠近検査方法をさらに示す。
【図５Ｂ】本発明による遠近検査方法をさらに示す。
【発明を実施するための形態】
【０００８】
図１につき説明すると、被検者の遠近の視覚能力を検査および／または訓練するためのシステム１００を示す。第１表示装置１２０（近位表示装置とも称する）を、被検者１１０の視覚的近傍に配置する。被検者１１０から近位表示装置１２０までの正確な距離は、試検および訓練すべき特定の視覚能力に応じて変化させることができるが、光学的無限遠よりは短くする。第２表示装置１３０を、被検者１１０から視覚的遠方に配置する。第２表示装置１３０（代替的に遠位表示装置または遠隔表示装置とも称する）を、被検者に対して光学無限遠またはその近傍に配置する。マイクロフォン１４０は、近位表示装置１２０および／または遠位表示装置１３０に表示した視覚マークに対する被検者１１０の応答音声を受信することができる。検査ユニット１５０を、近位表示装置１２０、遠位表示装置１３０、マイクロフォン１４０、並びにカメラ１７０および／または圧力感知台１８０などの他の装置に接続することができ、これらについて以下に説明する。検査ユニット１５０は、マークの表示および被検者１１０からの応答受信を制御することができる。当業者であれば、検査ユニット１５０をコンピュータ、例えばパーソナルコンピュータ、ゲーム機器、または他の専用コンピュータ装置とすることができることが理解できるであろう。
【０００９】
当業者であれば、被検者１１０は表示される視覚マークに応答する任意の適切な入力を行うことができることを理解するであろう。例えば、本発明の他の実施形態において、被検者１１０はモータ入力デバイスを用いて応答することができる。モータ入力デバイスは、任意の装置、例えば、ジョイスティックまたはキーパッドとし、被検者１１０からの手操作入力を受信できるものとする、また被検者１１０による任意の他のタイプである物理的行為を受信できる任意のデバイスとすることもでき、例えば足で操作するペダルまたはボタンとすることができる。入力デバイスとして適切なデバイスの例としては、キーボード、キーパッド、ボタン、ジョイスティック、スイッチ、ペダル、または被検者１１０からの能動的入力を受信できる任意の他のデバイスがある。
【００１０】
図１に示すように、マーク１６０を近位表示装置１２０に表示することができる。図１に示すようにマーク１６０はランドルト環（Ｃ）を備える。ランドルト環は、被検者により容易に理解できる特徴すなわち、左右上下の指向性を有する視覚的に中性的なマークであるため、使用することができる。図１に示すように、マーク１６０のランドルト環は、被検者から見て右側に指向する。
【００１１】
図１に示すように、システム１００は、さらにカメラ１７０を使用して、検査および／または訓練中における被検者の動きをモニタする。カメラ１７０は、さらに、被検者１１０の目の動きを追跡し、近位表示装置１２０および／または遠位表示装置１３０における様々なマークの表示に対して被検者が発する応答に目の動きデータを関連付けるように、特化することができる。さらに図１につき説明すると、システム１００は、さらに、圧力感知台１８０を使用し、検査および／または訓練中にこの圧力感知台１８０上に被検者１１０が立つようにする。圧力感知台１８０は、検査および／または訓練中に被検者１１０のバランスのズレを検出して、このズレを、検査ユニット１５０により、近位表示装置１２０および／または遠位表示装置１３０に表示される様々なマーク対する被検者の応答に関連付けることができる。
【００１２】
図２につき説明すると、システム１００は、近位表示装置１２０からマーク１６０を消去した状態を示す。例えば、被検者１１０は、図１に表示した右向きのマーク１６０を、例えばマイクロフォン１４０に「右」と発声することにより、適正に識別することができる。正解入力を受信する、または不正解入力を受信する、または所定時間中に入力を受信しないと、検査ユニット１５０は近位表示装置１２０におけるマーク表示を消去して、遠位表示装置１３０にマーク２６０の表示を開始することができる。図２に示す実施形態においては、マーク２６０をランドルト環とし、このとき上向きのランドルト環である。当業者であれば、マーク２６０に示すランドルト環の向きは、以下に説明するように変化させることができることは理解できるであろう。当業者であれば、さらに、図１および図２に示すランドルト環以外のマークを本発明に使用できることを理解できるであろう。例えば、数字、文字、絵、写真、または被検者１１０が理解できる他のタイプのマークを使用することができる。
【００１３】
図３Ａにつき説明すると、システム１００の他の状態を示す。システム１００において、近位表示装置１２０を、被検者１１０から第１距離３１０に配置する。さらに図３Ａに示すように、近位表示装置１２０は、被検者１１０のほぼ目のレベルにおける高さに持ち上げる。当業者であれば、近位表示装置１２０および遠位表示装置１３０の双方を他の高さおよび距離にできることを理解できるであろう。遠位表示装置１３０を被検者１１０から第２距離３２０に配置する。当業者であれば、さらに、近位表示装置１２０および遠位表示装置１３０、ならびに使用するとして他の表示装置（図示せず）を、被検者１１０に対して異なる視野角に配置できることを理解できるであろう。
【００１４】
つぎに、図３Ｂにつき説明すると、被検者１１０から別の例示的な距離に近位表示装置１２０を配置した状態のシステム１００を示す。図３Ｂに示すように、近位表示装置１２０を、被検者１１０からほぼ腕の長さである第１距離３１１に配置する。その一方で、遠位表示装置１３０を被検者から第２距離３２１に配置する。
【００１５】
図３Ｃにつき説明すると、複数の表示装置１２１，１２２，１２３を有する状態のシステム１００を示す。図３Ｃに示すように、複数の近位表示装置１２１，１２２，１２３は、被検者に対して水平方向に指向する。たとえば、近位表示装置１２１，１２２，１２３を、床もしくは地面に配置する、または被検者に対して異なる高さで水平方向に指向させて配置することができる。第１近位表示装置１２１を被検者１１０から第１距離３１２に配置し、第２近位表示装置１２２を被検者１１０から第２距離３１３に配置し、第３近位表示装置１２３を被検者１１０から第２距離３１４に配置することができる。それと同時に、遠位表示装置１３０を被検者１１０から第４距離３２２に配置することができる。図３Ｃに示すように、本発明によるシステム１００は、さらに、多数のあり得る表示領域、例えばマルチ表示装置から表示されたマークを検出する被検者の能力を検査および／または訓練することができる。同様の構成を遠位表示装置１３０に適用することができ、複数の遠位表示装置を、被検者に対する異なる位置または異なる指向性で配置することができる。
【００１６】
つぎに、図４Ａおよび図４Ｂにつき説明すると、本発明による方法４００を示す。ステップ４１０において、まず、第１視覚マークを第１距離に、第１時刻で表示する。例えば、ステップ４１０は、まず、図１〜３Ｃに示するように第１時刻で近位表示装置上に視覚マークを表示する。
【００１７】
ステップ４１５において、被検者が第１視覚マークを知覚したことを示す第１入力を受信する。ステップ４１５は、例えば、被検者からの入力を検出するために検査ユニットに接続したマイクロフォンを使用することができる。入力は、例えば、表示されるマークの持つ特徴を識別することができ、例えば、ランドルト環の向きの識別、数字もしくは文字の識別、表示される絵もしくは写真の識別、または表示されるマークの色の識別等を行うことができる。
【００１８】
ステップ４２０において、マークを表示した第１時刻と第１入力の受信との間に経過した時間を決定することができる。ステップ４２０は、検査ユニットにより適切に実行することができ、検査ユニットはステップ４１０において第１視覚マークの表示を制御し、またステップ４１５において第１入力を受信するためにマイクロフォンと連動して作動する。
【００１９】
ステップ４２５において、第１入力を受信した後に、第２視覚マークを第２距離に第２時刻で表示する。例えば、視覚マークを第２時刻に遠位表示装置に表示する。ステップ４３０において、被検者が第２視覚マークを知覚したことを示す第２入力を受信する。
【００２０】
ステップ４３０は、受信する入力のタイプおよびその入力を受信する仕方はステップ４１５と同様のものにすることができるが、当業者であれば、表示マークを識別する特性は、異なる表示マークが持つ特性に基づいて異なるものとすることができる。
【００２１】
ステップ４３５において、マークを表示した第２時刻と第２入力の受信との間で経過した時間を決定することができる。ステップ４３５はステップ４２０と同様に検査ユニットにより適切に実行することができる。
【００２２】
ステップ４４０において、第２入力を受信した後に、第３視覚マークを第１距離に第３時刻で表示することができる。例えば、ステップ４４０は、被検者がステップ４３０において遠位表示装置に表示されたマークに対して応答した後に、近位表示装置に第３マークを表示することができる。
【００２３】
ステップ４４５において、被検者が第３視覚マークを知覚したことを示す第３入力を受信する。
【００２４】
ステップ４５０において、マークを表示した第３時刻と第３入力の受信との間で経過した時間を決定することができる。ステップ４５０は、ステップ４２０と同様のものとすることができる。
【００２５】
ステップ４５５において、第３入力を受信した後に、第４視覚マークを第２距離に第４時刻で表示することができる。例えばステップ４５５は、近位表示装置における第３視覚マークの表示に対する応答入力を受信した後に、遠位表示装置に第４視覚マークを表示することができる。ステップ４５５はステップ４２５と同様のものにすることができる。
【００２６】
ステップ４６０において、被検者が第４視覚マークを知覚したことを示す入力を受信する。ステップ４６０はステップ４３０と同様のものとすることができる。ステップ４６５において、第４時刻と第４入力の受信との間に経過した時間を決定することができる。ステップ４６５をステップ４３５と同様のものにする。
【００２７】
ステップ４７０において、決定した経過時間に基づいて被検者の能力を定量化して、得点を計算することができる。当業者であれば、マークの表示と適切な入力の受信の繰り返しと、それに伴う経過時間の決定を、さらにステップ４７０の実行前に実行することができることを理解できるであろう。ステップ４７０は、例えば、被検者が第１距離に表示したマークに対しては遅く応答したが第２距離に表示したマークに対する応答は遅くない場合、被検者が第１距離において焦点調節および両目転導に困難性を持ち、第２距離には困難性を持たないことを示す。
【００２８】
つぎに、図５Ａおよび図５Ｂにつきて説明すると、本発明による他の方法を示す。ステップ５１０において、第１表示装置を被検者に対して視覚的に近傍に設ける。ステップ５２０において、第２表示装置を被検者に対して視覚的に遠方に設ける。ステップ５２０は、被検者に対して光学的無限遠またはその近傍に表示装置を設ける。
【００２９】
検査／訓練ステップ５４０において、当該ステップはいくつかのサブステップを有し、表示装置に視覚マークを表示し、検査／訓練が終了するまで入力を受信することができる。サブステップ５４１において、識別特性を有する視覚マークを、第１時刻で第１表示装置に表示する。サブステップ５４２は、被検者から入力を受信したかどうかを決定する。ステップ５４２は、例えば、マクロフォンと連動する検査ユニットにより実行することができる。サブステップ５４２の結果が入力を受信しないものである場合、サブステップ５４３において時間切れ（タイムアウト）と決定する。サブステップ５４３の時間切れ決定は、例えば検査ユニットにより決定する。サブステップ５４３において時間切れに達しない場合、方法５００はサブステップ５４２において入力を待ち続ける。サブステップ５４３で時間切れを決定した場合、方法５００はサブステップ５４６に進み、このサブステップ５４６を以下に説明する。サブステップ５４２で入力を受信する場合、方法５００はサブステップ５４４に進む。サブステップ５４４は、入力が表示されたマークの特性を適正に識別しているかどうかを決定する。例えば表示されるマークは、所定の向き、固有性、色または入力で識別すべき他の特質を有することができる。方法５００は、このとき、第１時刻からサブステップ５４２において入力を受信するまでの経過時間を決定するサブステップ５４５に進むことができる。方法５００は、次に、サブステップ５４３で時間切れ決定の結果を得た場合と同様に、サブステップ５４６に進むことができる。サブステップ５４６において、入力が適正に識別したものであったか否か、入力を受信するまでの経過時間、および／または時間切れを生じたか否かを記録する。サブステップ５４６は、例えば検査ユニットにより実行することができ、また電子記録媒体、例えばハードディスク、メモリ、コンパクトディスク、ＤＶＤ、フロッピー（登録商標）ディスクなどの着脱可能な記憶装置、紙などの物理媒体への印刷、または他のタイプの記録デバイスを使用することができる。方法５００は、その後、識別特性を有する視覚マークを第２時刻で視覚的に遠方の表示装置に表示するサブステップ５４７に進む。方法５００は、次に、入力を受信したか否かを決定するサブステップ５４８に進む。サブステップ５４２と同様であるサブステップ５４８は、マイクロフォンと連動する検査ユニット５００により実行することができる。サブステップ５４８で入力を受信しない場合、方法５００は、次に、時間切れになったか否かを決定するステップ５４９に進む。時間切れを生じていない場合、方法５００は入力を受信したか否かを決定するサブステップ５４８に復帰する。サブステップ５４９は、例えば、サブステップ５４３と同様に検査ユニットにより実行することができる。サブステップ５４８の結果が入力を受信したことを決定したものである場合、方法５００はサブステップ５５０に進む。サブステップ５５０は、表示マークの特性を適正に識別した入力であるか否かを決定する。方法５００は、次に、第２時刻から入力を受信するまでの経過時間を決定するサブステップ５５１に進む。方法５００は、次に、サブステップ５４９で時間切れ決定の結果を得た場合と同様に、サブステップ５５２に進む。サブステップ５５２は、入力が適正に識別したものであったか否か、入力を受信するまでの経過時間、および／または時間切れ状態になったか否かを記録する。サブステップ５４６と同様に、サブステップ５５２は任意のタイプの記憶媒体を用いる検査ユニットにより実行することができる。方法５００は、次に、検査および訓練のセッションが終了したか否かを決定するサブステップ５５３に進む。サブステップ５５３の出力がまだ検査／訓練が終了していないものである場合、方法５００はサブステップ５４１に復帰し、検査／訓練を続行する。サブステップ５３３の結果が検査／訓練が終了したとういうものである場合、検査ステップ５４０を終了することができ、方法５００は、特性を適正に識別した応答、経過時間、および時間切れに基づいてスコアを計算するステップ５６０に進む。スコアは、とくに所定距離における被検者の能力を同定することができる。当業者であれば、さらに、被検者から他の距離および他の向きにして追加した表示装置を使用することができることを理解できるであろう。そのような実施形態では、他の距離における付加的な表示機器のために付加的サブステップを検査ステップ５４０に含めることができる。
【００３０】
本発明のシステムおよび方法のこれらおよび他の変更した実施形態は、当業者には明らかであろう。
【図１】
0005486488.tif 000002
【図２】
0005486488.tif 000003
【図３Ａ】
0005486488.tif 000004
【図３Ｂ】
0005486488.tif 000005
【図３Ｃ】
0005486488.tif 000006
【図４Ａ】
0005486488.tif 000007
【図４Ｂ】
0005486488.tif 000008
【図５Ａ】
0005486488.tif 000009
【図５Ｂ】
0005486488.tif 000010